(57)【要約】【課題】構成が簡単で、少ないＩＣタグの使用でもって、誤検知が解消可能な磨耗確認システムを提供する。【解決手段】搬送装置の搬送用ガイド板に、かつベルト対向して配置するＩＣタグ、搬送装置の使用頻度をカウントするカウンタ部、ＩＣタグを駆動する電源部、ＩＣタグ制御部、ＡＴＭ装置側に通報する通報機器、を有し、前記ＩＣタグ制御部は、前記カウンタ部が、予め設定した前記ベルトの利用頻度に達したことを検知したとき、前記電源部の電源を前記ＩＣタグに供給し、当該ＩＣタグが電波又は電磁波を発するように制御し、前記電波、又は電磁波を前記アンテナで受信したとき、前記搬送用ベルトの交換時期を、前記通報機器を介して前記ＡＴＭ装置側に予告する。【選択図】図１
2014174624.tif 000002
【特許請求の範囲】
【請求項１】
搬送用ベルトと、当該ベルトを駆動する搬送用ローラと、前記ベルトに対応して配置され、前記紙葉類をガイドする搬送用ガイド板と、を有し、前記紙葉類を搬送する搬送装置を備えたＡＴＭ装置において、
前記搬送装置の搬送用ガイド板に、かつ前記ベルト対向して配置するＩＣタグと、
前記搬送装置の使用頻度をカウントするカウンタ部と、
前記ＩＣタグを駆動する電源部と、
前記ＩＣタグを制御するＩＣタグ制御部と、
前記ＩＣタグの電波、又は電磁波を受信するアンテナを含み、電波、又は電磁波を受信したとき、前記ＡＴＭ装置側に通報する通報機器と、有し、
前記ＩＣタグ制御部は、前記カウンタ部が、予め設定した前記ベルトの利用頻度に達したことを検知したとき、前記電源部の電源を前記ＩＣタグに供給し、当該ＩＣタグが電波又は電磁波を発するように制御し、
前記電波、又は電磁波を前記アンテナで受信したとき、前記搬送用ベルトの交換時期を、前記通報機器を介して前記ＡＴＭ装置側に予告する
ことを特徴とする紙葉類搬送部品の摩耗確認システム。
【請求項２】
請求項１に記載の紙葉類搬送部品の摩耗確認システムであって、
前記搬送用ベルトは、前記ＩＣタグの電波を遮断する電波シールド材、又は電磁波を反射する電磁波シールド材を埋設し、
前記搬送用ベルトが磨耗し、更に前記電波シールド材が磨耗したとき、前記ＩＣタグからの電波を前記アンテナで受信したとき、又は前記搬送用ベルトが磨耗し、前記電磁波シールド材が露出したとき、当該シールド材の反射波を受けたとき、前記搬送用ベルトの交換時期であることを、前記通報機器を介して前記ＡＴＭ装置側に通報する
ことを特徴とする紙葉類搬送部品の摩耗確認システム。
【請求項３】
請求項１に記載の紙葉類搬送部品の摩耗確認システムであって、
前記カウンタ部は、前記ＡＴＭ装置の    用カウンタを兼用していることを特徴とする紙葉類搬送部品の摩耗確認システム。
【発明の詳細な説明】
【技術分野】
【０００１】
本発明は、例えば、紙幣等の紙葉類を搬送する搬送機構におけるベルト等の紙葉類搬送部品の摩耗確認システムに関する。
【背景技術】
【０００２】
本技術分野の背景技術として、特開２００９−２１４７７３号公報（特許文献１）がある。この公報には、課題として、「車両のタイヤのトレッドにＩＣタグを埋め込み、該ＩＣタグとの通信状態に基づいてトレッドの摩耗状態を検出するようにして、タイヤのトレッドの摩耗状態を正確に把握することができ、車両の運転者に対してタイヤのトレッドの摩耗状態に関する警告を通報することができ、コストを低下させ、信頼性を向上させることができるようにする。」ことを挙げ、その解決手段として、「車両のタイヤ２１のトレッド２３に埋め込まれたＩＣタグ１１と、道路の表面又は表面近くの地中に配設された通信アンテナ３１と、前記ＩＣタグ１１と前記通信アンテナ３１との通信状態に基づいて前記トレッド２３の摩耗状態を検出し、該摩耗状態に応じて警告を出力する検出ユニットとを有する。」との記載がある（要約参照）。
【先行技術文献】
【特許文献】
【０００３】
【特許文献１】特開２００９−２１４７７３号公報
【発明の概要】
【発明が解決しようとする課題】
【０００４】
前記特許文献１には、タイヤの磨耗状態検出の仕組みが記載されている。しかし、特許文献１のタイヤ磨耗状態検出システムは、車両のタイヤのトレッドにＩＣタグを埋め込み、トレッドの状態を検出するものであって、タイヤ側にＩＣタグを配置することから、当該ＩＣタグにタイヤを介して車両に負荷がかかり、破壊や故障を招き易いことが考えられる。また、車両の走行中に釘などが刺さると、ＩＣタグも破壊され、誤検知を引き起こす問題がある。従って、これらの対策も考慮する必要があり、例えばタイヤ全周に亘ってＩＣタグを配置するなどの工夫が必要である。
【０００５】
そこで、本発明は、構成が簡単で、少ないＩＣタグの使用でもって、誤検知が解消可能な磨耗確認システムを提供する。
【課題を解決するための手段】
【０００６】
本発明の紙葉類搬送部品の摩耗確認システムは、
搬送用ベルトと、当該ベルトを駆動する搬送用ローラと、前記ベルトに対応して配置され、前記紙葉類をガイドする搬送用ガイド板と、を有し、前記紙葉類を搬送する搬送装置を備えたＡＴＭ装置において、
前記搬送装置の搬送用ガイド板に、かつ前記ベルト対向して配置するＩＣタグと、
前記搬送装置の使用頻度をカウントするカウンタ部と、
前記ＩＣタグを駆動する電源部と、
前記ＩＣタグを制御するＩＣタグ制御部と、
前記ＩＣタグの電波、又は電磁波を受信するアンテナを含み、電波、又は電磁波を受信したとき、前記ＡＴＭ装置側に通報する通報機器と、有し、
前記ＩＣタグ制御部は、前記カウンタ部が、予め設定した前記ベルトの利用頻度に達したことを検知したとき、前記電源部の電源を前記ＩＣタグに供給し、当該ＩＣタグが電波又は電磁波を発するように制御し、
前記電波、又は電磁波を前記アンテナで受信したとき、前記搬送用ベルトの交換時期を、前記通報機器を介して前記ＡＴＭ装置側に予告する
ことを特徴とする。
【０００７】
紙葉類搬送部品の摩耗確認システムは、
前記搬送用ベルトは、前記ＩＣタグの電波を遮断する電波シールド材、又は電磁波を反射する電磁波シールド材を埋設し、
前記搬送用ベルトが磨耗し、更に前記電波シールド材が磨耗したとき、前記ＩＣタグからの電波を前記アンテナで受信したとき、又は前記搬送用ベルトが磨耗し、前記電磁波シールド材が露出したとき、当該シールド材の反射波を受けたとき、前記搬送用ベルトの交換時期であることを、前記通報機器を介して前記ＡＴＭ装置側に通報する
ことを特徴とする。
【０００８】
紙葉類搬送部品の摩耗確認システムは、
前記カウンタ部は、前記ＡＴＭ装置の印刷部の搬送路用カウンタを兼用していることを特徴とする。
【発明の効果】
【０００９】
本発明によれば、ＩＣタグの破壊を招くようなことが回避でき、ＩＣタグや紙葉類磨耗部品の磨耗状態を簡単な構成により確認することができ、また紙葉、例えば通帳、カード、紙幣等を搬送する搬送用ベルトの磨耗を適切な時期に交換することが可能な紙葉類搬送部品の摩耗確認システムを提供することができる。
【図面の簡単な説明】
【００１０】
【図１】本発明の紙葉類搬送部品の摩耗確認システムに適用される紙葉搬送用ガイドを含む搬送装置の概略構成を示す図である。
【図２】本発明の紙葉類搬送部品の摩耗確認システム（電波方式）に適用される紙葉搬送用ガイドベルト（下ベルト）が正常状態にある様子を示す図である。
【図３】図２のベルト（下ベルト）が正常状態にあるときの電源の様子を示す図である。
【図４】図２のベルト（下ベルト）が磨耗した様子を示す図である。
【図５】図４のベルト（下ベルト）が異常状態にあるときの電源の様子を示す図である。
【図６】本発明の紙葉類搬送部品の摩耗確認システム（電磁方式）に適用される紙葉搬送用ガイドを含む搬送装置の一部の構成を概略的に示す図である。の他の構成例を示す図である。
【発明を実施するための形態】
【００１１】
本実施形態は、ＡＴＭ装置の通帳、伝票や紙幣等の紙葉類を搬送するベルトを例にしている。
【００１２】
図１は、本発明の紙葉類搬送部品の摩耗確認システムに適用される紙葉搬送用ガイドを含む搬送装置の概略構成を示す図である。
【００１３】
同図において、搬送路装置１０は、紙葉類搬送部品２０を搬送する装置であり、搬送用ベルト１０１、１０２、紙葉搬送用ガイド板１０３、１０４、搬送用ローラ１０５、１０６、を有する。
【００１４】
搬送用ベルト１０１、１０２の内側には、ＩＣタグ３０、例えば電波タグ、又は電磁誘導方式タグを取り付けている。
【実施例１】
【００１５】
図２は、本発明の紙葉類搬送部品の摩耗確認システム（電波方式）に適用される紙葉搬送用ガイドベルト（下ベルト）が正常状態にある様子を示す図である。
【００１６】
図２において、ＡＴＭ本体装置４０は、搬送機器利用頻度カウンタ４０１、電源４０２、を有する。カウンタ４０１は、紙葉搬送用ガイドベルト１０１１、１１０２の利用頻度を示す利用回数をカウントする。例えば、印字部の搬送路への通帳セット回数、帳票セット回数、などをカウントするカウンタを利用する。
【００１７】
電源４０２は、カウンタ４０１による利用頻度が所定回数をカウントしたとき、ＩＣタグ制御回路４０３に電源を供給する。
【００１８】
ＩＣタグ制御回路４０３は、電源４０２の電源供給を受け、スイッチ４０４を制御するものであるが、カウンタ４０１のカウントが所定の利用頻度まで達していない場合には、スイッチ４０４は開状態にあり、ＩＣタグ３０１には、電源が印加されることはない。
【００１９】
図３は、図２のベルト（下ベルト）が正常状態にあるときの電源とＩＣタグ３０の電波レベルの様子を模式的に示す図である。
【００２０】
同図において、ＩＣタグ３０には、電源が供給されないことから、当該ＩＣタグ３０からの電波のレベルは０にある。
【００２１】
図４は、図２のベルト（下ベルト）が磨耗した様子を示す図である。同図において、ＩＣタグ制御回路４０３は、ＡＴＭ本体装置４０の電源４０２の供給を受け、スイッチ４０４を閉じるように制御する。すると、ＩＣタグ３０には、電源が印加され、所望の電波を発信し、通報機器５０の受信部（受信回路）５０１は、ＩＣタグ３０１からの電波又は電磁波を受信する。
【００２２】
このとき、紙葉搬送用ガイドベルト１０１１、１０１２の磨耗状態、例えば上下ベルト１０１１、１０１２間に介在した電波シールド材１０１３まで達していない場合には、仮にＩＣタグ制御回路４０３が、カウンタ４０１のカウント状態に応じて電源４０２が供給されたとしても、電波シールド材１０１３の存在をもって、通報機器５０の受信部５０１による受信レベルも低くなるように構成することにより、少なくとも紙葉搬送用ガイドベルトの一部（下レベル）１０１２が磨耗していることを識別することができ、その旨をＡＴＭ本体装置４０に通報する。
【００２３】
また、紙葉搬送用ガイドベルトの上下ベルト１０１１、１０１２間に介在した電波シールド材１０１３も磨耗している場合には、受信部５０１による受信レベルが大きくなるように構成することにより、通報機器５０は、紙葉搬送用ガイドベルト１０１１、１０１２を即交換する時期にあることを認識し、その旨をＡＴＭ本体装置４０に通報する。
【００２４】
図５は、図４のベルト（下ベルト）１０１２が異常状態にあるときの電源の様子を示す図である。同図において、ＩＣタグ３０には、電源が供給されるから、当該ＩＣタグ３０からの電波のレベルは０以上（１）にある。
【実施例２】
【００２５】
図６は、本発明の紙葉類搬送部品の摩耗確認システム（電磁方式）に適用される紙葉搬送用ガイドを含む搬送装置の一部の構成を概略的に示す図である。同図において、図２の実施例と相違する点は、ＩＣタグ３０に電磁誘導方式タグを使用し、紙葉搬送用ガイド１０２側に当該タグから発射され、電磁波反射材１０１３’による反射電磁波を受信する受信回路３０１を設けたことにある。
【００２６】
以上述べたように本実施例によれば、ＩＣタグの破壊を招くようなことが回避できるのみならず、ベルトの磨耗状態に応じて、事前に交換時期を識別し、管理者側に適切な交換時期を示唆することができ、しかもＩＣタグや紙葉類磨耗部品の磨耗状態を簡単な構成することが可能である。
【符号の説明】
【００２７】
１０  搬送路装置
１０１  紙葉搬送用ガイドベルト
１０３、１０４  紙葉搬送用ガイド板
１０５、１０６  搬送用ローラ
２０  紙葉類部品
３０  ＩＣタグ
４０  ＡＴＭ本体装置
４０１  搬送機器利用頻度カウンタ
４０２  電源
４０３  ＩＣタグ制御回路
４０４  スイッチ
５０  通報機器
【図１】
2014174624.tif 000003
【図２】
2014174624.tif 000004
【図３】
2014174624.tif 000005
【図４】
2014174624.tif 000006
【図５】
2014174624.tif 000007
【図６】
2014174624.tif 000008